(57)【要約】【課題】  プリアラーム記録を通常記録と別領域に行う場合に、記録データ量を削減する画像記録装置。【解決手段】  画像データをバッファリングするデータバッファ１２と、プリアラーム記録領域１４３および通常記録領域１４２ならびに管理情報記録領域１４１を備えた蓄積媒体１４と、蓄積媒体１４に記録されるプリアラーム記録画像データを管理するプリアラーム管理情報をバッファリングするプリアラーム記録管理情報バッファ１３と、記録制御データにより蓄積媒体１４に記録される画像データを管理する管理情報を作成しプリアラーム記録管理情報バッファ１３と蓄積媒体１４に記録蓄積を行う記録制御１１とから構成され、プリアラーム記録を行う際に、プリアラーム記録領域と通常記録領域に同一の画像データの重複した記録要求がある場合に、通常記録領域にのみ画像データの記録を行う画像記録装置１。【選択図】        図１
2005151505.tif 000002
【特許請求の範囲】
【請求項１】
外部から入力される画像データをバッファリングするデータバッファ手段と、
該データバッファ手段がバッファリングした前記画像データから作成した通常記録画像データおよびプリアラーム記録画像データとこれらの記録画像データの管理情報を記録蓄積する蓄積媒体手段と、
該蓄積媒体手段に記録されるプリアラーム記録画像データの管理を行うためのプリアラーム管理情報をバッファリングするプリアラーム記録管理情報バッファ手段と、
外部から入力される記録制御データにより、前記データバッファ手段および前記蓄積媒体手段の記録蓄積処理と、前記蓄積媒体手段に記録される画像データの管理を行うための管理情報作成処理を行い前記プリアラーム記録管理情報バッファ手段と前記蓄積媒体手段に記録蓄積を行う記録制御手段と、
から構成される画像記録装置において、
前記蓄積媒体手段が、アラーム発生前の遡った時間帯の画像データの記録を行うプリアラーム記録に使用するプリアラーム記録領域と、通常の画像データの記録に使用する通常記録領域と、前記管理情報の記録に使用する管理情報記録領域を持ち、
プリアラーム記録を行う際に、プリアラーム記録領域と通常記録領域に同一の画像データの重複した記録要求がある場合には、通常記録領域にのみ画像データの記録を行うことを特徴とする画像記録装置。
【請求項２】
請求項１に記載の画像記録装置において、通常記録領域にのみ画像データの記録を行う場合には、プリアラーム記録の管理情報は通常記録領域に記録された画像データと結びついた情報を管理することを特徴とする画像記録装置。
【請求項３】
請求項１または請求項２に記載の画像記録装置において、外部から入力される画像データが、複数のソースから入力されることを特徴とする画像記録装置。
【請求項４】
外部から入力される画像データをバッファリングするデータバッファ手段と、該データバッファ手段がバッファリングした前記画像データから作成した通常記録画像データおよびプリアラーム記録画像データとこれらの記録画像データの管理情報を記録蓄積する蓄積媒体手段と、該蓄積媒体手段に記録されるプリアラーム記録画像データの管理を行うためのプリアラーム管理情報をバッファリングするプリアラーム記録管理情報バッファ手段と、
外部から入力される記録制御データにより、前記データバッファ手段および前記蓄積媒体手段の記録蓄積処理と、前記蓄積媒体手段に記録される画像データの管理を行うための管理情報作成処理を行い前記プリアラーム記録管理情報バッファ手段と前記蓄積媒体手段に記録蓄積を行う記録制御手段とから構成される画像記録装置のプリアラーム記録方法において、
データバッファ手段にバッファされた画像データを間引いた通常画像データを通常記録領域に順次記録し、データバッファ手段にバッファされた画像データまたは該画像データを前記通常画像データより少ない間引き量で間引いたプリアラーム画像データをプリアラーム記録領域に記録し、通常画像データとプリアラーム画像データが同一の画像データであるときに通常記録領域にのみ画像データを記録すること特徴とするプリアラーム記録方法。
【請求項５】
前記通常記録領域にのみ画像データを記録するに当たって、プリアラーム記録画像データの管理情報を通常画像データの管理情報に関連付けて前記管理情報記録領域に記録することを特徴とする請求項４に記載のプリアラーム記録方法。
【発明の詳細な説明】
【技術分野】
【０００１】
本発明は、監視カメラシステムに用いられるアラーム発生前の遡った時間帯の画像データの記録を行うプリアラーム記録機能を有する画像記録装置および記録方法に関する。
【背景技術】
【０００２】
従来の画像記録装置、例えば監視カメラシステムに用いられる画像記録装置では、アラーム発生前の遡った時間帯の画像データの記録を行うプリアラーム記録を実現するために、蓄積媒体（記録装置）に通常の記録領域と別の記録領域を設けることによりプリアラーム記録を実現している。（例えば、特許文献１，２参照）
【特許文献１】特開２００３−１０１９４３号（第８図）
【特許文献２】特開２００３−１５３１９６号（第２図）
【発明の開示】
【発明が解決しようとする課題】
【０００３】
しかしながら、上記の従来技術では、通常の記録領域とプリアラーム記録用の別の記録領域に同一の画像データを記録するので、ＨＤＤなどの記録媒体のデータ転送帯域を圧迫したり、記録データ領域を無駄に使っていた。例えば、特許文献１において、図８では、画像データＩ４を通常の記録領域とリングバッファ領域に重複して記録しているため、記録媒体へのデータ転送量が多くなり転送帯域を圧迫し、また重複して記録することによりデータ記録領域を多く使い記録データ領域を無駄に使っている。例えば、特許文献２において、図２では、映像データＶ１＿１が通常記録領域とプリアラーム記録領域に重複して記録されているため、記録媒体へのデータ転送量が多くなり転送帯域を圧迫することになる。
【０００４】
記録媒体のデータ転送帯域・能力や蓄積データ量には限りがあり、通常の記録領域と別の記録領域に同一の画像データを重複して記録することにより、データ転送帯域を圧迫したり記録データ領域を無駄に使うことは、複数の映像入力ソースを持つ場合が多く記録データ量が多い監視カメラシステムに用いられる画像記録装置としては好ましくない。
【０００５】
本発明の目的は、通常の記録領域とプリアラーム記録領域に同一の画像データを重複した記録を行わず、記録媒体へのデータ転送量を軽減する画像記録システムを提供することにある。
【課題を解決するための手段】
【０００６】
本発明は、上記した目的を達成するため、外部より入力される画像データをバッファリングするデータバッファ手段と、データバッファ手段がバッファリングした画像データを記録蓄積する蓄積媒体手段と、蓄積媒体手段に記録されるプリアラーム記録画像データの管理を行うためのプリアラーム管理情報をバッファリングするプリアラーム記録管理情報バッファ手段と、外部より入力される記録制御データによりデータバッファ手段と蓄積媒体手段の記録蓄積処理と、積媒体手段に記録される画像データの管理を行うための管理情報作成処理を行いプリアラーム記録管理情報バッファ手段と蓄積媒体手段に記録蓄積を行う記録制御手段とから構成される画像記録システムにおいて、蓄積媒体手段がアラーム発生前の遡った時間帯の画像データの記録を行うプリアラーム記録に使用するプリアラーム記録領域と通常記録領域を持ち、プリアラーム記録を行う際に、プリアラーム記録領域と通常記録領域に同一画像データの重複した記録要求がある場合には、プリアラーム記録領域に記録を行わず通常記録領域に記録を行うようにしたものである。
【発明の効果】
【０００７】
以上のように、本発明によれば、記録媒体手段の通常記録領域とプリアラーム記録領域に同一画像データの重複した記録要求がある場合には、プリアラーム記録領域に記録を行わず通常記録領域にのみ記録を行うことにより、蓄積媒体手段に対する記録データ量を削減することができ、記録媒体手段へのデータ転送帯域を軽減することやデータ記録領域を削減することが可能となり、監視カメラシステムに用いるのに好適な画像記録装置を構築できる。
【発明を実施するための最良の形態】
【０００８】
以下、図面を用いて本発明の実施例を説明する。図１は、本発明の第１の実施例に係る画像記録装置の構成の概要を示す模式図である。図１において、画像記録装置１は、記録制御部１１と、データバッファ部１２と、プリアラーム記録管理情報バッファ部１３と、蓄積媒体部１４とを有して構成される。蓄積媒体部１４は、通常記録画像データを記録するための通常記録領域１４２、アラーム発生前の遡った時間帯のプリアラーム記録画像データを記録するプリアラーム記録領域１４３、通常記録領域１４２とプリアラーム記録領域１４３に記録された画像データの管理を行うための管理情報を記録する管理情報記録領域１４１を有することができる。
【０００９】
記録制御部１１は、データバッファ部１２から蓄積媒体部１４の通常記録領域１４２とプリアラーム記録領域１４３への記録蓄積処理や、画像データの管理情報の作成処理を行う。記録制御部１１で作成した管理情報のうち、通常記録画像データの管理情報は蓄積媒体部１４の管理情報記録領域１４１に記録蓄積し、プリアラーム記録画像データの管理情報はプリアラーム記録管理情報バッファ部１３にバッファリングし、アラーム発生時に蓄積媒体部１４の管理情報記録領域１４１に記録蓄積する処理を実行する。
【００１０】
記録制御部１１は、データバッファ部１２に入力された画像データを所定の間引量で間引き蓄積媒体１４へ送出する処理を行う。記録制御部１１は、通常記録領域１４２に記録された通常記録画像データのアドレスなどを管理情報として管理情報記録領域１４１に記録する処理を実行する。記録制御部１１は、プリアラーム記録領域１４３に記録されたプリアラーム記録画像データのアドレスなどを管理情報としてプリアラーム記録管理情報バッファ部１３に記録する処理、および、同一の通常画像データとプリアラーム記録画像データを通常記録領域１４２とプリアラーム記録領域１４３にそれぞれ同時に記録する記録要求があったときに、通常記録領域１４２にのみ画像データを記録し、通常記録領域１４２のアドレスをプリアラーム記録管理情報に関連付けて記録する処理を実行する。
【００１１】
データバッファ部１２は、外部から入力される画像データをバッファリングする。データバッファ部１２にバッファされた画像データは、記録制御部１１によって所定の間引量で通常記録画像データとして読み出され蓄積媒体１４の通常記録領域１４２に記録される。さらに、データバッファ部１２にバッファされた画像データは、記録制御部１１によってそのまままたは通常画像データよりも少ない間引量でプリアラーム記録画像データとして読み出され蓄積媒体１４のプリアラーム記録領域１４３に記録される。このとき、通常記録画像データとプリアラーム記録画像データが同一の画像データであるときには、この画像データは通常記録領域１４２にのみ記録される。また、蓄積媒体１４へデータバッファ部１２から間引きせずに記録してもよい。
【００１２】
プリアラーム記録管理情報バッファ部１３は、蓄積媒体部１４のプリアラーム記録領域１４３に記録されるプリアラーム記録画像データの管理を行うためのプリアラーム記録管理情報をバッファリングする。このプリアラーム記録管理情報バッファ部１３に記録されたプリアラーム記録管理情報は、プリアラーム記録が確定した時に、管理情報記録領域１４１に記録すればよい。
【００１３】
蓄積媒体部１４は、データバッファ部１２がバッファリングした画像データや記録制御部１１が作成する管理情報を記録蓄積する。このような蓄積媒体部１４は、ＨＤＤやＤＶＤ−ＲＡＭ等のストレージメディアや半導体メディアを用いればよい。すなわち、蓄積媒体部１４は、リムーバブルな蓄積媒体とすることができる。
【００１４】
図２を用いて、本発明の第１実施例に係る画像記録装置における記録データの一例を説明するる。図２において、２ａは画像記録装置１に入力される画像データ、２ｂは従来の記録処理で蓄積媒体部１４に記録されるデータ、２ｃは本発明で蓄積媒体部１４に記録されるデータ、２ｄは本発明での管理情報データを示している。図２の２ｂにおいて、２ｂ＿Ｎは通常記録領域１４２に記録される画像データ、２ｂ＿Ｐはプリアラーム記録領域１４３に記録される画像データを示し、図２の２ｃにおいて、２ｃ＿Ｎは通常記録領域１４２に記録される画像データ、２ｃ＿Ｐはプリアラーム記録領域１４３に記録される画像データを示し、図２の２ｄにおいて、２ｄ＿Ｎは通常記録の管理情報、２ｄ＿Ｐはプリアラーム記録の管理情報を示している。
【００１５】
図２の２ａに示す入力データに対し、従来の記録装置では、図２の２ｂに示すＰｉｃ１やＰｉｃ４、Ｐｉｃ７のように、通常記録領域とプリアラーム記録領域に重複して同一画像データを記録していた。本発明では、図２の２ｃに示すように、通常記録領域１４２とプリアラーム記録領域１４３に同一データを記録する要求があった場合には、例えばＰｉｃ１やＰｉｃ４、Ｐｉｃ７をプリアラーム記録領域１４３には画像データを記録しないで、通常記録領域１４２にのみ画像データの記録を行う。そして、プリアラーム記録領域１４３に画像データを記録しない場合においても、図２の２ｄに示すように、管理情報としてはプリアラーム記録管理情報を作成する。プリアラーム記録領域１４３に記録しなかった画像データにおけるプリアラーム管理情報は、例えば、プリアラーム記録画像データのアドレスとして通常記録領域１４２のアドレスが記録される。
【００１６】
従来処理では、プリアラーム管理情報はプリアラーム記録領域１４３に記録された画像データと結びついた情報として管理するが、本実施例では、図２の２ｃのＰｉｃ１やＰｉｃ４、Ｐｉｃ７のように重複記録を避けるためにプリアラーム記録領域１４３に記録データが存在しない場合には、プリアラーム管理情報は通常記録領域１４２に記録された画像データと結びついた情報を管理する。これにより、プリアラーム記録領域１４３に記録データが存在しなくとも、再生・読み出し処理時には、通常記録領域１４２に記録された画像データを検索することが可能となる。また、このようなプリアラーム管理情報は時刻をキー情報としてＢ＋ｔｒｅｅのようなデータ管理構造を用いて管理してやればよい。
【００１７】
このように、通常記録領域１４２とプリアラーム記録領域１４３に重複した記録要求がある場合には、プリアラーム記録領域１４３に記録を行わず通常記録領域１４２だけに記録を行うことにより、記録データ量を削減することができ、また、プリアラームの管理情報が通常記録領域１４２に記録されたデータと結びついた情報を管理するとにより、再生・読み出し処理時に通常記録領域１４２に記録された画像データを検索することができる。
【００１８】
図３を、本発明の第２の実施例に係る画像記録装置の記録データの一例を説明する。図３において、３ａは画像記録装置１に入力される複数の入力ソースからの画像データ、３ｂは従来の記録処理で蓄積媒体部１４に記録されるデータ、３ｃは本実施で蓄積媒体部１４に記録されるデータを示している。図３の３ｂ、３ｃにおいて、３ｂ＿Ｎ、３ｃ＿Ｎは通常記録領域１４２に記録される画像データ、３ｂ＿Ｐ、３ｃ＿Ｐはプリアラーム記録領域１４３に記録される画像データを示している。
【００１９】
図３では、入力ソースＡと入力ソースＢから画像データが入力されている。このような入力データにおいても、上記したように通常記録とプリアラーム記録領域に同一データを記録する要求があった場合には、プリアラーム記録領域には画像データを記録しないことにより、記録データを削減することができる。
【００２０】
かように、本実施例によれば、通常記録領域１４２とプリアラーム記録領域１４３に重複した記録要求がある場合には、プリアラーム記録領域１４３に記録を行わず通常記録領域１４２に記録を行うことにより、蓄積媒体に対する記録データ量を削減することができ、記録媒体へのデータ転送帯域を軽減することや記録データ領域の削減をすることが可能とな画像記録装置を構築できる。
【図面の簡単な説明】
【００２１】
【図１】本発明の第１の実施例に係る画像記録装置の構成を説明する模式図。
【図２】本発明の第１の実施例に係る画像記録装置の記録データの一例を説明する図。
【図３】本発明の第２実施例に係る画像記録装置の記録データの一例を説明する図。
【符号の説明】
【００２２】
１  画像記録装置
１１  記録制御部
１２  データバッファ部
１３  プリアラーム記録管理情報バッファ部
１４  蓄積媒体部
１４１  管理情報記録領域
１４２  通常記録領域
１４３  プリアラーム記録領域
【図１】
2005151505.tif 000003
【図２】
2005151505.tif 000004
【図３】
2005151505.tif 000005